(57)【要約】【課題】小型サイズの携帯移動端末と容易かつ低コストに連携可能なＭＩＭＯリピータ技術を提供する。【解決手段】利用者の身体周辺に配置される複数のリピータアンテナ群２１０と有線にて接続され利用者の身体周辺に配置されるＢＡ−ＭＩＭＯリピータモジュール２０１と、利用者が携帯するＨＭＴ−ＭＩＭＯモジュール（携帯移動端末装置）２０２との間で、携帯移動端末装置における通信データが短距離無線通信１０４により通信される。ＢＡ−ＭＩＭＯリピータモジュール２０１は、上記通信データを、リピータアンテナ群２１０と基地局アンテナ群２１１との間で、ＭＩＭＯ通信方式にて通信する。【選択図】図２
2010087828.tif 000002
【特許請求の範囲】
【請求項１】
無線基地局装置側に設置された複数の基地局アンテナ群との間でマルチ入力マルチ出力無線通信方式にて無線通信を実行する装置であって、
利用者の身体周辺に配置される複数のリピータアンテナ群と、
前記利用者の身体周辺に配置され前記複数のリピータアンテナ群と有線にて接続され、前記利用者が携帯する携帯移動端末装置における送受信データを該携帯移動端末装置との間で短距離無線通信方式により通信し、該送受信データを、前記リピータアンテナ群と前記基地局アンテナ群との間で、前記マルチ入力マルチ出力無線通信方式にて通信するリピータ基地装置と、
を含むことを特徴とする近距離ＭＩＭＯリピータ装置。
【請求項２】
無線基地局装置側に設置された複数の基地局アンテナ群との間でマルチ入力マルチ出力無線通信方式にて無線通信を実行する装置であって、
車両内に配置される複数のリピータアンテナ群と、
前記車両内に配置され前記複数のリピータアンテナ群と有線にて接続され、前記車両内の利用者が携帯する携帯移動端末装置における送受信データを該携帯移動端末装置との間で短距離無線通信方式により通信し、該送受信データを、前記リピータアンテナ群と前記基地局アンテナ群との間で、前記マルチ入力マルチ出力無線通信方式にて通信するリピータ基地装置と、
を含むことを特徴とする近距離ＭＩＭＯリピータ装置。
【請求項３】
無線基地局装置側に設置された複数の基地局アンテナ群との間でマルチ入力マルチ出力無線通信方式にて無線通信を実行する装置であって、
家屋内に配置される複数のリピータアンテナ群と、
前記家屋内に配置され前記複数のリピータアンテナ群と有線にて接続され、前記家屋内の利用者が携帯する携帯移動端末装置における送受信データを該携帯移動端末装置との間で短距離無線通信方式により通信し、該送受信データを、前記リピータアンテナ群と前記基地局アンテナ群との間で、前記マルチ入力マルチ出力無線通信方式にて通信するリピータ基地装置と、
を含むことを特徴とする近距離ＭＩＭＯリピータ装置。
【請求項４】
前記リピータ基地装置は、
前記リピータアンテナ群にて受信した受信信号を、シリアル受信信号に変換して前記携帯移動端末装置に前記短距離無線通信方式により送信し、
前記携帯移動端末装置から前記短距離無線通信方式により受信したシリアル送信信号を、パラレル送信信号に変換して前記リピータアンテナ群より送信する、
ことを特徴とする請求項１乃至３の何れか１項に記載の近距離ＭＩＭＯリピータ装置。
【請求項５】
前記短距離無線通信方式は、ミリ波無線通信方式、電磁誘導無線通信方式、又は静電誘導無線通信方式の何れかである、
ことを特徴とする請求項１乃至４の何れか１項に記載の近距離ＭＩＭＯリピータ装置。
【請求項６】
携帯移動端末装置であって、
短距離無線通信アンテナと、
リピータ基地装置に対して、該装置に有線にて接続される複数のリピータアンテナ群を使って、無線基地局装置側に設置された複数の基地局アンテナ群との間でマルチ入力マルチ出力無線通信方式にて、送受信データを通信させるために、前記リピータ基地装置との間で、該送受信データを、短距離無線通信アンテナを使った短距離無線通信方式により通信する短距離無線送受信器と、
を含むことを特徴とする近距離ＭＩＭＯ携帯移動端末装置。
【請求項７】
前記送受信データを、前記マルチ入力マルチ出力無線通信方式によらない携帯無線通信方式により通信する携帯無線送受信器と、
前記送受信データを、前記短距離無線通信方式により通信する第１の通信モードと、前記携帯無線通信方式により通信する第２の通信モードとを切り替えるモードセレクタと、
を更に含むことを特徴とする請求項６に記載の近距離ＭＩＭＯ携帯移動端末装置。
【請求項８】
前記短距離無線通信方式は、ミリ波無線通信方式、電磁誘導無線通信方式、又は静電誘導無線通信方式の何れかである、
ことを特徴とする請求項６又は７の何れか１項に記載の近距離ＭＩＭＯ携帯移動端末装置。
【請求項９】
無線基地局装置側に設置された複数の基地局アンテナ群との間でマルチ入力マルチ出力無線通信方式にて無線通信を実行する方法であって、
利用者の身体周辺に配置される複数のリピータアンテナ群と有線にて接続され該利用者の身体周辺に配置されるリピータ基地装置と、前記利用者が携帯する携帯移動端末装置との間で、該携帯移動端末装置における送受信データを短距離無線通信方式により通信する第１のステップと、
前記リピータ基地装置が、前記送受信データを、前記リピータアンテナ群と前記基地局アンテナ群との間で、前記マルチ入力マルチ出力無線通信方式にて通信する第２のステップと、
を含むことを特徴とする近距離ＭＩＭＯ無線通信方法。
【発明の詳細な説明】
【技術分野】
【０００１】
本発明は、小型携帯移動端末装置のための高速データ通信ゲートウェイを提供するＭＩＭＯリピータ技術に関する。
【背景技術】
【０００２】
移動電話や、パーソナルエリアネットワーク（ＰＡＮ：Ｐｅｒｓｏｎａｌ  Ａｒｅａ  Ｎｅｔｗｏｒｋ）又はＺｉｇＢｅｅ機器のような小型携帯無線移動機器は、マルチパスフェージングの環境にさらされており、ユーザの身体によるシャードーイングの影響も受ける。ここで、ＰＡＮとは、通信距離が数センチから数メートルの、身体周辺程度で利用される範囲の通信ネットワークをいい、ＺｉｇＢｅｅは、ＰＡＮを実現するための具体的な短距離無線通信規格の１つである。
【０００３】
それらの小型機器における無線インタフェースは単一アンテナを使用するため、そのような状況において実使用における高速データ通信を確保するのは極めて困難である。
この問題を解決するための１つの容易な方策は、装置に高レートデータ処理を容易にさせるための複数アンテナを実装することにより、ＭＩＭＯ（Ｍｕｌｔｉｐｌｅ  Ｉｎｐｕｔ  Ｍｕｌｔｉｐｌｅ   Ｏｕｔｐｕｔ）技術を利用することである。ＭＩＭＯは、送信側と受信側にそれぞれ複数本ずつ設置されたアンテナを用いて通信を行う技術で、第４世代移動体通信を担う重要な技術のひとつである。
【０００４】
下記特許文献１は、中継元のアクセスポイントと中継器との間を、空間多重モードで通信し、中継器と端末との間を、高速の固有モード(ビームフォーミング)で通信する技術を開示している。
【０００５】
下記特許文献２は、基地局と複数の中継端末との間をＭＩＭＯ方式で通信を行い、複数の中継端末と端末との間を異なる周波数で通信を行う技術を開示している。
下記特許文献３は、中継アクセスポイントと携帯端末との間を、超広帯域無線帯（ＵＷＢ：Ｕｌｔｒａ  Ｗｉｄｅ  Ｂａｎｄ）を用いた近距離高速通信方式で通信する技術を開示している。
【特許文献１】特開２００７−６７７２６号公報
【特許文献２】特開２００８−１１８３３７号公報
【特許文献３】特開２００４−３５０１０８号公報
【発明の開示】
【発明が解決しようとする課題】
【０００６】
しかしながら、携帯移動端末等のシステムのサイズに対する制約は、複数アンテナの装備を極めて困難な挑戦にさせており、それゆえに、システムは、高速データ通信のためのＭＩＭＯ処理を利用することができないという問題点を有している。
【０００７】
また、前述の特許文献１、特許文献２、及び特許文献３が開示する通信技術は、中継技術によって高速通信を実現しようとする技術であるが、携帯移動機器自体にＭＩＭＯ方式を利用するための複数アンテナの実装を容易にさせる技術ではなく、中継器（リピータ）装置を設置するためのコストが高くつくという課題を有している。
【０００８】
また、これらの従来技術では、ユーザの身体によるシャードーイングの影響は取り除くことはできない。
【課題を解決するための手段】
【０００９】
本発明の課題は、小型サイズの携帯移動端末と容易かつ低コストに連携可能なＭＩＭＯリピータ技術を提供することにある。
第１の態様は、無線基地局装置側に設置された複数の基地局アンテナ群との間でマルチ入力マルチ出力無線通信方式にて無線通信を実行する近距離ＭＩＭＯリピータ装置を前提とする。
【００１０】
複数のリピータアンテナ群（１０３、２１０）は、利用者の身体周辺、車両内、又は家屋内に配置される。
リピータ基地装置（１０２、２０１）は、利用者の身体周辺、車両内、又は家屋内に配置され複数のリピータアンテナ群と有線にて接続され、利用者が携帯する携帯移動端末装置（１０１、２０２）における送受信データをその携帯移動端末装置との間で短距離無線通信方式により通信し、その送受信データを、リピータアンテナ群と基地局アンテナ群との間で、マルチ入力マルチ出力無線通信方式にて通信する。このリピータ基地装置は例えば、リピータアンテナ群にて受信した受信信号を、シリアル受信信号に変換して携帯移動端末装置に短距離無線通信方式により送信し、携帯移動端末装置から短距離無線通信方式により受信したシリアル送信信号を、パラレル送信信号に変換してリピータアンテナ群より送信する。短距離無線通信方式は例えば、ミリ波無線通信方式、電磁誘導無線通信方式、又は静電誘導無線通信方式の何れかである。
【００１１】
第２の態様は、携帯移動端末装置を前提とする。
まず、短距離無線通信アンテナ（２０６）を有する。
そして、短距離無線送受信器（２０５）は、リピータ基地装置に対して、その装置に有線にて接続される複数のリピータアンテナ群を使って、無線基地局装置側に設置された複数の基地局アンテナ群との間でマルチ入力マルチ出力無線通信方式にて、送受信データを通信させるために、リピータ基地装置との間で、送受信データを、短距離無線通信アンテナを使った短距離無線通信方式により通信する。
【００１２】
上述の第２の態様の構成において更に、送受信データを、マルチ入力マルチ出力無線通信方式によらない携帯無線通信方式により通信する携帯無線送受信器（６０２〜６１０）と、送受信データを、短距離無線通信方式により通信する第１の通信モードと、携帯無線通信方式により通信する第２の通信モードとを切り替えるモードセレクタ（６０１、６１１）とを更に含むように構成することができる。
【発明の効果】
【００１３】
近距離ＭＩＭＯリピータ装置は、携帯移動端末装置のサイズに対する制約を犠牲にすることなく、ＭＩＭＯにより高速データを安定に処理するための新しい特性を提供することが可能となる。
【００１４】
携帯移動端末装置が、近距離ＭＩＭＯリピータ装置によらない通常の携帯無線通信モードと、近距離ＭＩＭＯリピータ装置による高速ＭＩＭＯ通信モードとを切り替え可能とすることにより、利用者のユーザビリティを向上させることが可能となる。
【発明を実施するための最良の形態】
【００１５】
以下、図面を参照しながら、最良の実施形態について詳細に説明する。
以下に説明する実施形態では、小型サイズの携帯移動端末（ＨＭＴ：Ｈａｎｄｈｅｌｄ
Ｍｏｂｉｌｅ  Ｔｅｒｍｉｎａｌ）において、高容量のデータを伝送するゲートウェイの役割を有するＭＩＭＯリピータシステムが実現される。
【００１６】
図１は、本実施形態によるＢＡ−ＭＩＭＯリピータシステムの適用形態を示す図である。
本実施形態によるリピータシステムは、身につけて携帯することが可能、即ち、ウェアラブル（ｗｅａｒａｂｌｅ）であり、ＨＭＴ機器１０１のための短距離無線高速データ通信１０４のみをカバーする。このため、本実施形態では、このリピータシステムを、ボディエリアＭＩＭＯ（ＢＡ−ＭＩＭＯ）リピータシステムと呼ぶ。
【００１７】
また、このリピータシステムは、後述するように、自動車、バス、電車、又は家屋内での短距離通信をサポートすることも可能である。
このシステムにおいて、利用者は、通常モードと高速モードの２つのモードで動作することが可能なＨＭＴ機器１０１を携帯する。１つは、従来のＨＭＴ機器でも利用されているような通常モードであり、もう１つは大容量データの処理をするためのＭＩＭＯ能力を要求する高速モードである。通常モードは、ＨＭＴ機器１０１のために、低データレート通信を行う。高速モードは、大容量データ処理機能を実行する。
【００１８】
ＢＡ−ＭＩＭＯリピータモジュールは、高速モードをサポートするために、利用者の身体に装備される。ＢＡ−ＭＩＭＯリピータモジュールは、１つのＢＡ−ＭＩＭＯ基地装置１０２と、いくつかのＢＡ−ＭＩＭＯアンテナ１０３を有する。ＢＡ−ＭＩＭＯアンテナ１０３は、特には図示しない携帯無線基地局に対してデータを送受信する。そのデータを処理するために、全てのＢＡ−ＭＩＭＯアンテナ１０３に有線接続されるＢＡ−ＭＩＭＯハブと呼ばれるＢＡ−ＭＩＭＯ基地装置１０２が実装される。
【００１９】
ＢＡ−ＭＩＭＯリピータモジュールは、ＨＭＴ機器１０１が全体的なＭＩＭＯデータ処理を行っているかのように、ＨＭＴ機器１０１のためのデータを部分的に処理する。
ＢＡ−ＭＩＭＯリピータモジュールとＨＭＴ機器１０１の間の通信は、短距離無線高速データ通信１０４であって、ミリ波方式、電磁誘導方式、又は静電誘導方式の通信などを含み得る。
【００２０】
例えば、ミリ波は、携帯電話が通信に使用する周波数（１．７ＧＨｚ〜２ＧＨｚ程度）の数十倍から数百倍（３０ＧＨｚ〜３００ＧＨｚ程度）の周波数を有しており、現在の無線ＬＡＮ規格で用いられている帯域などよりもはるかに広い帯域を使用することが可能で、短距離通信であれば、１Ｇｂｐｓ（ギガビット／秒）を超えるような超高速の無線通信を行うことができる。
【００２１】
図２は、ＢＡ−ＭＩＭＯ送信システムのブロック図、図３は、その更に詳細ブロック図である。
これらは、複数の基地局アンテナ２１１、ＢＡ−ＭＩＭＯリピータモジュール２０１、及びＨＭＴ−ＭＩＭＯモジュール２０２間の通信チャネルを示している。ここで、ＨＭＴ−ＭＩＭＯモジュール２０２は、図１のＨＭＴ機器１０１に内蔵される。また、ＢＡ−ＭＩＭＯリピータモジュール２０１は、図１のＢＡ−ＭＩＭＯ基地装置１０２とＢＡ−ＭＩＭＯアンテナ２１０とから構成される。更に、短距離アンテナ２０７は、図１のＢＡ−ＭＩＭＯアンテナ２１０と共通にすることができる。
【００２２】
今、ＨＭＴ機器１０１において、ＨＭＴ機器１０１内の高速通信アプリケーション又はＨＭＴ機器１０１に接続される外部機器（パソコン等）から、入力データがＨＭＴ−ＭＩＭＯモジュール２０２に入力される。
【００２３】
この入力データに対して、まずＣＲＣ付加器２０３が、誤り検出用のＣＲＣ（巡回冗長符号）を付加し、エンコーダ２０４が符号化を行う。
その結果得られる送信符号データは、端末側短距離無線送受信器２０５内のＤ／Ａコン
バータ３０１にてアナログシリアル送信信号に変換される。
【００２４】
そのアナログ送信信号は更に、端末側短距離無線送受信器２０５内のアップコンバータ３０２にて、短距離無線通信の周波数帯域信号にアップコンバートされ、ＨＭＴ−ＭＩＭＯモジュール２０２内の短距離アンテナ２０６から送信される。
【００２５】
このアナログシリアル送信信号は、ＢＡ−ＭＩＭＯリピータモジュール２０１内の短距離アンテナ２０７にて受信された後、リピータ側短距離無線送受信器２０８内のダウンコンバータ３０３にてベースバンドの周波数帯域信号にダウンコンバートされ、リピータ側短距離無線送受信器２０８内のＡ／Ｄコンバータ３０４にてデジタルシリアル送信信号に変換される。
【００２６】
短距離アンテナ２０６と２０７間の短距離無線高速データ通信１０４は、例えばミリ波通信が採用された場合、図１に示されるような身体周辺エリアにおいて、前述したように非常に高い周波数帯域を使用した超高速無線シリアルデータ通信が実現される。このボディエリアでの短距離通信方式と携帯基地局及びＢＡ−ＭＩＭＯリピータモジュール２０１間のＭＩＭＯ方式とが組み合わされることにより、安定かつ高速なデータ通信が実現される。
【００２７】
図２のＭＩＭＯ送信処理回路２０９は、図３の３０５〜３１２の部分に対応する。
上記デジタルシリアル送信信号は、誤り耐性を高めるためにインターリーバ３０５によってインターリーブされた後、変調器３０６によって変調される。ここでの変調方式は例えば、１６ＱＡＭ又は６４ＱＡＭといったＭ−ＱＡＭ（直交振幅変調：Ｑｕａｄｒａｔｕｒｅ  Ａｍｐｌｉｔｕｄｅ  Ｍｏｄｕｌａｔｉｏｎ）方式が採用される。
【００２８】
この結果得られる変調送信信号は、空間時間プロセッサ３０７にて、シリアルストリームから、ＭＩＭＯ送信用にフォーマットされたパラレルストリームに変換される。
ＩＦＦＴ（Ｉｎｖｅｒｓｅ  Ｆａｓｔ  Ｆｏｕｒｉｅｒ  Ｔｒａｎｓｆｏｒｍ）ブロック群３０８は、パイロット信号の挿入と、周波数帯域変調信号から複数の時間域データ群への変換を行う。
【００２９】
＋ＧＩブロック群３０９は、ＩＦＦＴブロック群３０８の各出力ストリームに、マルチパスフェージングに対処するための冗長データであるガードインターバルを付加する。
この結果得られるベースバンド送信信号群が、アップコンバータ群３１１によって、携帯無線の周波数帯域信号群にアップコンバートされ、アンプ群３１２によって増幅された後、複数のＢＡ−ＭＩＭＯアンテナ２１０から複数の基地局アンテナ２１１に向けて送信される。
【００３０】
図４は、ＢＡ−ＭＩＭＯ受信システムのブロック図、図５は、その更に詳細ブロック図である。
これらは、図２の場合と同様に、複数の基地局アンテナ２１１、ＢＡ−ＭＩＭＯリピータモジュール２０１、及びＨＭＴ−ＭＩＭＯモジュール２０２間の通信チャネルを示している。
【００３１】
図４のＭＩＭＯ受信処理回路４０１は、図５の５０１〜５１０の部分に対応する。
複数の基地局アンテナ２１１から複数のＢＡ−ＭＩＭＯアンテナ２１０によって受信された受信信号群は、低雑音受信アンプ（ＬＮＡ：Ｌｏｗ  Ｎｏｉｓｅ  Ａｍｐｌｉｆｉｅｒ）群５０１にて増幅された後、ダウンコンバータ群５０２によって、携帯無線の周波数帯域信号群からベースバンドの周波数帯域信号群にダウンコンバートされ、Ａ／Ｄコンバータ群５０３によってアナログ受信信号群からデジタル信号群に変換される。
【００３２】
次に、時間同期回路５０５によって制御されながら動作する−ＧＩブロック群５０４が、上記デジタル受信信号群からガードインターバルを除去する。
更に、ＦＦＴ（Ｆａｓｔ  Ｆｏｕｒｉｅｒ  Ｔｒａｎｓｆｏｒｍ）ブロック群５０６は、時間領域のデジタル受信信号群を周波数領域のデジタル受信信号群に変換する。
【００３３】
その後、ＭＩＭＯ検出器５０７が、上記デジタル受信信号群に対して、ＭＩＭＯデータを処理するためのチャネル推定を実行する。
そして、パラレル／シリアル変換器５０８が、ＭＩＭＯ検出器５０７から出力されるパラレル受信信号群をシリアル受信信号に変換する。
【００３４】
そのシリアル受信信号は、復調器５０９によって復調された後、デ・インターリーバ５１０によって逆インターリーブ処理された後、リピータ側短距離無線送受信器２０８内のＤ／Ａコンバータ５１１にてアナログシリアル受信信号に変換される。
【００３５】
そして、そのアナログシリアル受信信号は、リピータ側短距離無線送受信器２０８内のアップコンバータ５１２にてベースバンドの周波数帯域信号から短距離無線通信の周波数帯域信号にアップコンバートされ、ＢＡ−ＭＩＭＯリピータモジュール２０１内の短距離アンテナ２０７から送信される。
【００３６】
このアナログシリアル受信信号は、ＨＭＴ−ＭＩＭＯモジュール２０２内の短距離アンテナ２０６にて受信された後、端末側短距離無線送受信器２０５内のダウンコンバータ５１３にて、短距離無線通信の周波数帯域信号からベースバンドの周波数帯域信号にダウンコンバートされた後、端末側短距離無線送受信器２０５内のＡ／Ｄコンバータ５１４にて、デジタル受信信号に変換される。
【００３７】
そして、このデジタル受信信号は、デコーダ４０２にて復号され、更にＣＲＣ抽出器４０３にてＣＲＣチェックが行われた後、最終的な出力データが得られる。
図６は、通常モードと高速モードの２つのモードで動作することが可能なＨＭＴ機器１０１のブロック図である。
【００３８】
図６（ａ）は、送信システムのＨＭＴ機器１０１のブロック図であり、図２及び図３の場合と同じ番号が付された部分は、同じ動作を実行する。
モードセレクタ６０１にて高速モード側が選択された場合の、２０３、２０４、３０１、及び３０２の各部の動作は、図２及び図３の説明にて前述した通りである。
【００３９】
一方、モードセレクタ６０１にて通常モード側が選択された場合は、エンコーダ２０４から出力される送信データは、変調器６０２にて変調された後、Ｄ／Ａコンバータ６０３にてアナログ送信信号に変換される。更に、そのアナログ送信信号は、アップコンバータ６０４にて通常の携帯無線の周波数帯域信号にアップコンバートされ、アンプ６０５で増幅された後、通常の携帯無線用のノーマルアンテナ６０６から送信される。この場合には、ＭＩＭＯ方式ではなく、通常の携帯無線方式により、基地局との間の通信が実行される。
【００４０】
図６（ｂ）は、ＨＭＴ受信システムのＨＭＴ機器１０１のブロック図であり、図２及び図３の場合と同じ番号が付された部分は、同じ動作を実行する。
モードセレクタ６１１にて高速モード側が選択された場合の、５１３、５１４、４０２、及び４０３の各部の動作は、図４及び図５の説明にて前述した通りである。
【００４１】
一方、モードセレクタ６１１にて通常モード側が選択された場合は、ノーマルアンテナ
６０６から受信された通常の携帯無線方式による受信信号は、低雑音受信アンプ（ＬＮＡ：Ｌｏｗ  Ｎｏｉｓｅ  Ａｍｐｌｉｆｉｅｒ）６０７にて増幅された後、ダウンコンバータ６０８によって、携帯無線の周波数帯域信号群からベースバンドの周波数帯域信号群にダウンコンバートされＡ／Ｄコンバータ６０９によってアナログ受信信号からデジタル信号に変換される。このデジタル受信信号は、復調器６１０にて復調された後、デコーダ４０２にて復号され、ＣＲＣ抽出器４０３を通って、最終的な出力データが得られる。
【００４２】
以上の図６（ａ）及び図６（ｂ）の構成において、モードセレクタ６０１及び６１１は、通信中のデータ量を監視しており、その監視の結果高速データ通信が必要と判定したら、高速モードに切り替えて、前述したＢＡ−ＭＩＭＯリピータ処理を実行する。モードセレクタ６０１及び６１１は、通信中のデータ量の監視の結果高速データ通信が必要ないと判定したときには、通常モードを選択してＭＩＭＯ方式によらない通常の携帯無線通信を実行する。
【００４３】
図７は、ＢＡ−ＭＩＭＯリピータシステムが、自動車、バス、又は電車内で実現される場合の構成を示した図である。ＢＡ−ＭＩＭＯ基地装置１０２は、マルチユーザによるＨＭＴ装置１０１に対応するために、ユーザ毎の並列タスク処理により上述したＢＡ−ＭＩＭＯリピータ処理を実行するように構成することができる。
【００４４】
図８は、ＢＡ−ＭＩＭＯリピータシステムが、家屋内で実現される場合の構成を示した図である。この場合においても、ＢＡ−ＭＩＭＯ基地装置１０２は、並列タスク処理により、マルチユーザによるＨＭＴ装置１０１に対応することができる。
【００４５】
以上説明した実施形態では、図３又は図５に示されるように、ＭＩＭＯ処理は、ＢＡ−ＭＩＭＯ基地装置１０２内のＢＡ−ＭＩＭＯリピータモジュール２０１内で実行されるように構成されたが、ＨＭＴ機器１０１内のＨＭＴ−ＭＩＭＯモジュール２０２にて実行されるように構成されてもよい。
【００４６】
また、図９（図３に対応）、図１０（図５に対応）、図１１（図６に対応）に示すように、短距離無線高速データ通信において、より高品質の通信を確保するために、ダウンコンバータ３０３、５１３の前段にＬＮＡ３１４、５１６を配置したり、アップコンバータ３０２、５１２の後段にアンプ３１３、５１５を配置してもよい。
【図面の簡単な説明】
【００４７】
【図１】本実施形態によるＢＡ−ＭＩＭＯリピータシステムの適用形態を示す図である。
【図２】ＢＡ−ＭＩＭＯリピータ送信システムのブロック図である。
【図３】ＢＡ−ＭＩＭＯリピータ送信システムの詳細ブロック図である。
【図４】ＢＡ−ＭＩＭＯリピータ受信システムのブロック図である。
【図５】ＢＡ−ＭＩＭＯリピータ受信システムの詳細ブロック図である。
【図６】通常モードと高速モードの２つのモードで動作することが可能なＨＭＴ機器１０１のブロック図である。
【図７】ＢＡ−ＭＩＭＯリピータシステムが、自動車、バス、又は電車内で実現される場合の構成を示した図である。
【図８】ＢＡ−ＭＩＭＯリピータシステムが、家屋内で実現される場合の構成を示した図である。
【図９】ＢＡ−ＭＩＭＯリピータ送信システムの他の詳細ブロック図である。
【図１０】ＢＡ−ＭＩＭＯリピータ受信システムの他の詳細ブロック図である。
【図１１】通常モードと高速モードの２つのモードで動作することが可能なＨＭＴ機器１０１の他のブロック図である。
【符号の説明】
【００４８】
１０１  ＨＭＴ装置
１０２  ＢＡ−ＭＩＭＯ基地装置
１０３、２１０  ＢＡ−ＭＩＭＯアンテナ
１０４  短距離無線高速データ通信
２０１  ＢＡ−ＭＩＭＯリピータモジュール
２０２  ＨＭＴ−ＭＩＭＯモジュール
２０３  ＣＲＣ付加器
２０４  エンコーダ
２０５  端末側短距離無線送受信器
２０６  端末側短距離アンテナ
２０７  リピータ側短距離アンテナ
２０８  リピータ側短距離無線送受信器
２０９  ＭＩＭＯ送信処理回路
２１１  基地局アンテナ
３０１、５１１、６０３  Ｄ／Ａコンバータ
３０２、５１２、６０４  アップコンバータ
３０３、５１３、６０８  ダウンコンバータ
３０４、５１４、６０９  Ａ／Ｄコンバータ
３０５  インターリーバ
３０６、６０２  変調器
３０７  空間時間プロセッサ
３０８  ＩＦＦＴブロック群
３０９  ＋ＧＩブロック群
３１１  アップコンバータ群
３１２  アンプ群
４０１  ＭＩＭＯ受信処理回路
４０２  デコーダ
４０３  ＣＲＣ抽出器
５０１  低雑音受信アンプ（ＬＮＡ：Ｌｏｗ  Ｎｏｉｓｅ  Ａｍｐｌｉｆｉｅｒ）群
５０２  ダウンコンバータ群
５０３  Ａ／Ｄコンバータ群
５０４  −ＧＩブロック群
５０５  時間同期回路
５０６  ＦＦＴ群
５０７  ＭＩＭＯ検出器
５０８  パラレル／シリアル変換器
５０９、６１０  復調器
５１０  デ・インターリーバ
６０１、６１１  モードセレクタ
５１５、６０５  アンプ
６０６  ノーマルアンテナ
５１６、６０７  低雑音受信アンプ（ＬＮＡ：Ｌｏｗ  Ｎｏｉｓｅ  Ａｍｐｌｉｆｉｅｒ）
【図２】
2010087828.tif 000003
【図３】
2010087828.tif 000004
【図４】
2010087828.tif 000005
【図５】
2010087828.tif 000006
【図６】
2010087828.tif 000007
【図９】
2010087828.tif 000008
【図１０】
2010087828.tif 000009
【図１１】
2010087828.tif 000010
【図１】
2010087828.tif 000011
【図７】
2010087828.tif 000012
【図８】
2010087828.tif 000013
【手続補正書】
【提出日】平成21年9月7日(2009.9.7)
【手続補正１】
【補正対象書類名】図面
【補正対象項目名】図２
【補正方法】変更
【補正の内容】
【図２】
2010087828.tif 000014